(57)【要約】【課題】冷凍室と冷蔵室に分割した車両用箱型荷台において、冷凍室から冷蔵室に冷気を導く送風装置を、荷室の内法寸法を減殺させずに適切な位置に設置する。【解決手段】車両用箱型荷台１の前面断熱パネル８の上部に、車両前方側に張り出すように上部前面断熱パネル９を設置して空間部Ｓを形成し、空間部Ｓに、荷室側に突出しないよう冷凍装置のエバポレータ１１を収容するとともに、送風装置のファン１３を取り付ける。さらに、通気ダクト片１４をファン１３から仕切り壁３の後方まで設置し、冷蔵室５が設定温度以上となると、ファン１３により冷凍室２内の冷気を冷蔵室５に導入する。送風装置のファン１３は空間部Ｓに収容されるので、荷室の内法寸法がファンにより減少することはなく、通気ダクト片１４は箱型荷台１の天井の隅部である上方コーナー部分に設置されるため、室内灯６等のレイアウトに影響を与えることはない。【選択図】  図１
2010266084.tif 000002
【特許請求の範囲】
【請求項１】
冷凍装置を装備し断熱パネルにより囲まれた車両用箱型荷台に装着され、仕切り壁により分割された荷室に冷却空気を送風する送風装置であって、
前記車両用箱型荷台の前面断熱パネルの上方には、車両前方側に張り出す空間部が形成されるとともに、前記空間部には、前記冷凍装置のエバポレータが前記前面断熱パネルよりも荷室側に突出しないように設置されており、さらに、
前記空間部における前記冷凍装置のエバポレータと前記車両用箱型荷台の側面断熱パネルとの間には、前記送風装置のファンが前記前面断熱パネルよりも荷室側に突出しないように設置され、かつ、
板状部材を折り曲げて形成した通気ダクト片が、前記車両用箱型荷台の側面断熱パネルと上面断熱パネルとに固定されて、前記ファンから前記仕切り壁の後方に到るまで設置されており、前記通気ダクト片、側面断熱パネル及び上面断熱パネルにより、冷却空気を送風する通気ダクトが前記車両用箱型荷台の上方コーナー部分に形成されることを特徴とする送風装置。
【請求項２】
前記車両用箱型荷台を囲む断熱パネルは、断熱材の両側に内板及び外板を積層した積層構造を備え、前記通気ダクト片が、前記車両用箱型荷台の側面断熱パネル及び上面断熱パネルの内板にリベットにより固定される請求項１に記載の送風装置。
【請求項３】
前記仕切り壁が、前記車両用箱型荷台の前記通気ダクト片が設置される範囲内において、前後方向に移動可能に設けられている請求項１又は請求項２に記載の送風装置。
【請求項４】
前記車両用箱型荷台の前面断熱パネルの上方には、前記前面断熱パネルよりも車両前方側の位置に上部前面断熱パネルが設置されており、前記上部前面断熱パネルの荷室側には、前記冷凍装置のエバポレータ及び前記送風装置のファンが取り付けられる請求項１乃至請求項３のいずれかに記載の送風装置。
【請求項５】
前記上部前面断熱パネルの外側には、前記冷凍装置のコンデンサが取り付けられる請求項４に記載の送風装置。
【発明の詳細な説明】
【技術分野】
【０００１】
本発明は、断熱パネルにより囲まれる箱型荷台を、仕切り壁により複数の荷室に分割した冷凍車又は温度管理車において、複数の荷室の間に冷却された空気を送風するための送風装置に関するものである。
【背景技術】
【０００２】
トラック等による貨物輸送の分野では、近年の消費生活の多様化あるいは利便性の追求に伴って、野菜、魚介類等の生鮮食料品あるいは冷凍食品など、傷みやすい貨物の輸送の需要が増加している。生鮮食料品又は冷凍食品等の輸送には、断熱パネルにより囲まれた密閉式の箱型荷台を備え、荷室内の温度を、冷凍装置によって低温に保つ車両が使用されることから、こうした箱型荷台に対する需要も高まっている。最近は、食品の安全性に関する要求が厳しくなっており、生鮮食料品等を運搬する車両では、箱型荷台の荷室内の温度が積載する貨物に応じた適正な範囲から外れないよう厳格に管理する、温度管理車と呼ばれる車両が増加している。
【０００３】
冷凍装置を装備する箱型荷台では、荷室内に仕切り壁（中仕切り）を配置して複数の部屋に分割し、それぞれの室内を、冷凍品や冷蔵品などの種類に応じて異なる温度に設定する箱型荷台も一般的に使用される。荷室内に積載する冷凍品や冷蔵品などの量は需要に応じて変化するから、仕切り壁は、荷室内で移動可能に設置され各部屋の容積が可変となっている場合が多い。また、冷蔵品等を収納する部屋（冷蔵室）を冷却するには、通常、より温度が低く設定された冷凍品等を収納する部屋（冷凍室）から、送風装置により冷却空気を導く方法が採用され、このような送風装置を備えた車両は、一例として実開昭５１−２２３０７号公報に示されている。
【０００４】
上記公報に開示された「冷凍・保冷車」について、図５により説明する。
図５（ａ）において、車両に架装された箱型荷台１００は、仕切り壁１０１によって車両前方の冷凍室１０２と車両後方の冷蔵室１０３に分割されており、それぞれの部屋には出入口となる扉１０４、１０５が設けられる。図５（ｂ）の断面図に示されるとおり、箱型荷台１００は断熱パネルにより囲まれており、冷凍室１０２の前方壁面上部には、冷凍装置のエバポレータ（蒸発器）１０６が装着され、これは、運転台上方に配置された冷凍装置のコンデンサ（凝縮器、図５（ａ）参照）１０７と接続される。冷凍装置が作動すると、エバポレータ１０６には低温となった冷媒が流れ、冷凍室１０２内が例えば−２０℃に冷却される。
【０００５】
冷凍室１０２と冷蔵室１０３との間を仕切る仕切り壁１０１の上部には、ファン１０８とダンパ１０９とを備えた送風装置が設置されている。冷蔵室１０３には室内の温度を検出するサーモスタット１１０が設けてあり、検出された温度が冷蔵室として適当な設定温度、例えば５℃を越えると、サーモスタット１１０が作動してファン１０８が駆動されるとともにダンパ１０９が開放され、冷凍室１０２内の冷気が冷蔵室１０３に導入される。設定温度に達すると、ダンパ１０９が閉鎖されてファン１０８が停止され、こうして、冷蔵室１０３内を略一定温度の低温状態に保持することができる。
【０００６】
また、仕切り壁により複数の部屋に分割された箱型荷台の天井部分に平坦な通気ダクトを設置し、この通気ダクトを通して冷凍室内の冷気を冷蔵室内に導くように構成することも可能である。例えば、特開２００６−５７９４６号公報には、図６に示すとおり（図５の部屋、部品等に対応するものには同一の符号を付す）、冷蔵室１０３の天井部分に冷気導入用のファン１０８を設け、天井部分に取り付けた平坦な通気ダクト１１１を介して冷凍室１０２から冷気を導き、冷蔵室内の循環空気に混合してこれを冷却するようにした箱型荷台（冷凍コンテナ）１００が開示されている。なお、この公報に示される箱型荷台の冷凍室１０２では、前方壁面の上部に、前方壁面から荷室の外側に張り出すようにハウジング（エバポレータハウジング）１１２を設け、その中に冷凍装置のエバポレータ１０６を収容している。
【先行技術文献】
【特許文献】
【０００７】
【特許文献１】実開昭５１−２２３０７号公報
【特許文献２】特開２００６−５７９４６号公報
【発明の概要】
【発明が解決しようとする課題】
【０００８】
箱型荷台に積載可能な貨物の量を増大するには、荷室の内側に張り出す突起物を極力少なくして内法寸法の減少を防止することが必要である。特許文献１に開示された冷凍車のように、冷凍室の前方壁面上部の室内側にエバポレータを取り付けると、冷凍室の前後方向の内法寸法がその分減殺され、また、貨物の衝突によりエバポレータに損傷等の虞れが生じる。冷蔵室に冷気を導入するための送風装置も、仕切り壁の上部に取り付けられており、そのファンやダンパが冷蔵室や冷凍室の室内に突出するので、内法寸法が減殺されることとなる。
【０００９】
冷凍装置のエバポレータを箱型荷台の前方外側に張り出すエバポレータハウジングに収容すると、内法寸法の減少を回避することが可能で、特許文献２に開示された冷凍コンテナにおいてはこの構造が採用されている。トラックに架装された車両用箱型荷台では、エバポレータとコンデンサとを断熱材を挟んで一体化し、このユニットをエバポレータハウジングに収めて運転台上方に配置するものが多い。このような構成とした場合には、荷室の内法寸法を犠牲にすることなく冷凍装置のエバポレータやコンデンサの搭載性を向上することができる。しかし、特許文献２に開示された冷凍コンテナにおいても、冷蔵室に冷気を導入するための送風装置は、冷気導入用のファンが冷蔵室の天井部分から下方へ突出し、高さ方向の内法寸法を制限している。また、冷気導入用の通気ダクトの構造も複雑なものとなっている。
本発明は、仕切り壁により温度の異なる複数の部屋に分割した冷凍車等の箱型荷台において、温度の低い室から他の室に冷気を導く送風装置を、荷室の内法寸法を減殺させずに設置し、しかも、通気ダクトの構造を簡易化しながらその配置位置の適正化を図ることを課題とする。
【課題を解決するための手段】
【００１０】
上記の課題に鑑み、本発明は、エバポレータハウジング、つまり、冷凍装置のエバポレータを収容するため箱型荷台の前方外側に張り出す空間部、に冷却空気を送風するファンを収容し、箱型荷台の天井の隅部である上方コーナー部分に通気ダクトを設置して、仕切り壁の後方に冷却空気を導くものである。すなわち、本発明は、
「冷凍装置を装備し断熱パネルにより囲まれた車両用箱型荷台に装着され、仕切り壁により分割された荷室に冷却空気を送風する送風装置であって、
前記車両用箱型荷台の前面断熱パネルの上方には、車両前方側に張り出す空間部が形成されるとともに、前記空間部には、前記冷凍装置のエバポレータが前記前面断熱パネルよりも荷室側に突出しないように設置されており、さらに、
前記空間部における前記冷凍装置のエバポレータと前記車両用箱型荷台の側面断熱パネルとの間には、前記送風装置のファンが前記前面断熱パネルよりも荷室側に突出しないように設置され、かつ、
板状部材を折り曲げて形成した通気ダクト片が、前記車両用箱型荷台の側面断熱パネルと上面断熱パネルとに固定されて、前記ファンから前記仕切り壁の後方に到るまで設置されており、前記通気ダクト片、側面断熱パネル及び上面断熱パネルにより、冷却空気を送風する通気ダクトが前記車両用箱型荷台の上方コーナー部分に形成される」
ことを特徴とする送風装置となっている。
【００１１】
請求項２に記載のように、前記車両用箱型荷台を囲む断熱パネルが、断熱材の両側に内板及び外板を積層した積層構造を備えているものであれば、前記通気ダクトを、前記車両用箱型荷台の側面断熱パネル及び上面断熱パネルの内板にリベットにより固定することができる。
【００１２】
請求項３に記載のように、前記仕切り壁を、前記車両用箱型荷台の前記通気ダクト片が設置される範囲内において、前後方向に移動可能に設けることができる。
【００１３】
また、請求項４に記載のように、前記車両用箱型荷台の前面断熱パネルの上方には、前記前面断熱パネルよりも車両前方側の位置に上部前面断熱パネルを設置し、前記上部前面断熱パネルの荷室側に、前記冷凍装置のエバポレータ及び前記送風装置のファンを取り付けるようにすることが好ましい。この場合においては、請求項５に記載のように、前記上部前面断熱パネルの外側に、前記冷凍装置のコンデンサを取り付けることができる。
【発明の効果】
【００１４】
本発明の車両用箱型荷台では、荷室の周囲が断熱パネルにより囲まれており、その前面断熱パネルの上方に車両前方側に張り出す空間部が形成される。この空間部には、冷凍装置のエバポレータが荷室側に突出しないように設置されるとともに、仕切り壁により分割された荷室に冷却空気を送風する送風装置のファンが、エバポレータと側面断熱パネルとの間にやはり荷室側に突出しないように設置される。つまり、本発明では、送風装置のファンが、エバポレータハウジング内のエバポレータの横に収容されており、荷室の内法寸法が送風装置のファンによって制限を受けることはない。エバポレータハウジング内の空気はエバポレータの存在により低温に保たれるので、ファンにより送風される冷却空気の温度は低く、仕切り壁後方の荷室の温度を迅速に下げることができる。
【００１５】
そして、本発明では、板状部材を折り曲げて形成した通気ダクト片が、送風装置のファンから仕切り壁の後方に到るまで設置されている。通気ダクト片は、その断面における両端部分が側面断熱パネルと上面断熱パネルとに固定され、中間部分が上面断熱パネルとの間に一定間隔の隙間を生じる平坦部となるよう、板状部材を折り曲げて形成したもので、この通気ダクト片等によって、本発明の送風装置では、冷却空気を送風する通気ダクトが箱型荷台の上方コーナー部分に形成される。
車両用箱型荷台においては、一般的に、荷室の天井の中央部分に照明用の室内灯やそのための電気配線が設置される。本発明の通気ダクトは、上方コーナー部分に前後方向に延びるよう配置されているから、室内灯等のレイアウトに影響を与えることはない。また、通気ダクト片は、長尺の板状部材を折り曲げて簡易に製造することが可能であり、一方の端部が側面の断熱パネルに固定されるので、取り付け作業も容易である。通気ダクト片の平坦部と上面断熱パネルとの隙間である通気ダクトの高さは、荷室の高さ方向の寸法を減殺しないように、なるべく低く設定されているのが望ましい。
【００１６】
車両用箱型荷台の断熱パネルとしては、断熱材の両側に金属薄板等からなる内板及び外板を積層した積層構造を備えているパネル、いわゆるサンドイッチパネルが採用されることが多い。こうした積層構造の断熱パネルに本発明の通気ダクト片を固定するときは、請求項２の発明のように、側面断熱パネル及び上面断熱パネルの、荷室側に置かれた内板にリベット（ブラインドリベット）を用いて固定することができ、これにより、通気ダクト片を簡易かつ確実に断熱パネルに固定することができる。
【００１７】
また、冷凍装置を装備する車両用箱型荷台の荷室内を分割する仕切り壁は、積載する冷凍品や冷蔵品などの量の変化に対応可能なように、箱型荷台の前後方向に移動可能に設けられていることが多い。このときは、請求項３の発明のように、箱型荷台の通気ダクト片が設置される範囲内において、仕切り壁を前後方向に移動可能に設けることにより、後方の部屋に確実に冷却空気を導入できる。
【００１８】
請求項４の発明は、車両用箱型荷台の前面断熱パネルの上方において、前面断熱パネルよりも前方側に上部前面断熱パネルを設置して両方の断熱パネルの間を空間部とし、上部前面断熱パネルにエバポレータ及び送風装置のファンを取り付けるものである。こうすると、エバポレータ及び送風装置のファンの空間部への設置が容易となる。また、請求項５の発明のように、エバポレータとコンデンサが別体となった冷凍装置を採用し、コンデンサを上部前面断熱パネルの外側に取り付けることにより、冷凍装置の車両用箱型荷台への取り付け作業の容易化等が可能となる。
【図面の簡単な説明】
【００１９】
【図１】本発明の送風装置を備えた車両用箱型荷台を示す図である。
【図２】箱型荷台の荷室内からエバポレータ及び本発明の送風装置のファンを見た断面図である。
【図３】本発明における送風装置の通気ダクト片の単品図等である。
【図４】本発明におけるのエバポレータの側面図である。
【図５】冷凍装置を装備する従来の車両用箱型荷台の一例を示す図である。
【図６】冷凍装置を装備する従来の車両用箱型荷台の他の例を示す図である。
【発明を実施するための形態】
【００２０】
以下、図１乃至図４に基づいて、冷凍装置を装備した車両用箱型荷台における本発明の送風装置について説明する。上述のとおり、図１は、本発明の送風装置を備えた車両用箱型荷台の全体を示す断面図であり、図２は、箱型荷台の荷室内から前方に取り付けられたエバポレータ及び送風装置のファンを見た断面図である。また、図３には、送風装置の通気ダクト片の単品図及び断面矢視拡大図を、図４には、車両用箱型荷台の横方向から見たエバポレータの概略側面図を示す。
【００２１】
図１に示されるように、トラック等の車両に搭載される車両用箱型荷台１は、基本的には、車両の前後方向に置かれる前面及び後面パネル、２枚の側面パネル、上面パネル（天井パネル）及び床面パネルからなる６面体により構成される。外部との熱伝達を遮断するよう、これらのパネルには断熱パネルが使用され、車両用箱型荷台１の荷室は断熱パネルにより取り囲まれている。断熱パネルはいわゆるサンドイッチパネルであって、発泡プラスチック板等の断熱材の両側に、アルミニュウム又はステンレス等の金属薄板あるいはプラスチック薄板からなる内板（荷室側）及び外板（荷台外側）を積層した積層構造を備えるものである。図１の車両用箱型荷台１には、側面パネルの前方部分に貨物の積み降ろし用ドア２が設置されている。
【００２２】
箱型荷台１の荷室内は、仕切り壁（中仕切り）３によって前方の部屋と後方の部屋とに分割され、例えば、前方の部屋が冷凍室４として−２０℃程度の温度となり、後方の部屋が冷蔵室５として５℃程度の温度となるようコントロールされる。図示は省略するが、仕切り壁３の周囲には、両部屋間の冷気の流通を阻止するシール部材が固着されている。そして、仕切り壁３は、例えば、荷室に固定されたガイドレールに嵌め込んで支持することによって、荷室内をスライドしながら移動可能に構成されており、これにより両方の部屋の容積及び貨物積載量を調整することができる。また、それぞれの部屋の照明用として、２個の室内灯６が箱型荷台１の上面断熱パネル７の車両横方向中央に設置されるとともに、そのための配線が中央を前後方向に延び各室内灯６まで導かれている。
【００２３】
本発明の箱型荷台１では、前面断熱パネル８の上方において、そのパネルよりも車両前方側の位置に上部前面断熱パネル９を設置し、傾斜した断熱材１０を用いて前面断熱パネル８上部と上部前面断熱パネル９下部とを結合する（図４も参照）。これにより、箱型荷台１の前面パネルの上方部分に車両の前方外側に張り出す空間部Ｓ（図１下図参照）が形成され、ここがエバポレータハウジングとなる。この空間部Ｓには、冷凍装置のエバポレータ１１が前面断熱パネル８よりも荷室側に突出しないように設置される。
【００２４】
図４に示すように、冷凍装置のエバポレータ１１は、蒸発した低温の冷媒が通過する熱交換器部１１Ａの上方にエバポレータファン１１Ｂを設置し、カバー１１Ｃで覆ったもので、空間部Ｓに収容できるよう全体が薄型に構成されている。そのため、エバポレータファン１１Ｂとしては半径方向外側に流れる遠心式ファンが採用され、エバポレータファン１１Ｂにより下部から吸い込まれた冷凍室内の空気は、図の破線矢印のように流れ、熱交換器部１１Ａで冷却された後にカバー１１Ｃ上部の吹き出し口から冷凍室内に吹き出される。また、図４において２点鎖線で示すとおり、上部前面断熱パネル９の外側には、車両の運転台の上方位置に冷凍装置のコンデンサ１２が設置されている（図１も参照）。コンデンサ１２で凝縮した冷媒は、図示しない膨張弁で絞り膨張して低温となり、荷室側のエバポレータ１１に導入される。
図１等に示す実施例の冷凍装置は、エバポレータとコンデンサとを別体として、上部前面断熱パネルの荷室側と外側にそれぞれ取り付けたものであって、これによれば、上部前面断熱パネルに貫通部等の加工等を施すことなく、エバポレータ及びコンデンサを装着することができる。ただし、断熱材を挟んでエバポレータとコンデンサとが一体化された冷凍装置を、上部前面断熱パネルに取り付けることもできる。
【００２５】
仕切り壁３の後方の冷蔵室５に冷却空気を送風するため、図１に示すように、空間部Ｓにファン１３が取り付けられるとともに、ファン１３から仕切り壁３の後方に到る通気ダクト片１４が箱型荷台１の天井の隅部である上方コーナー部分に装着されている。送風装置のファン１３は、上部前面断熱パネル９の荷室側に取り付けられており、前面断熱パネル８よりも荷室側に突出しないように、空間部Ｓにおいてエバポレータ１１と箱型荷台１の側面断熱パネル１５との間に設置される（図２も参照）。ファン１３のケーシングは上方に延びて吹き出し口部分１３Ａが形成されており、吹き出し口部分１３Ａが通気ダクト片１４に接続される。
ファン１３は、冷蔵室５の温度が設定温度５℃よりも上昇したときに駆動され、冷凍室４内の冷却空気をファンの前面（冷凍室４側）から吸込み、吹き出し口部分１３Ａから上方に吹き出す。その冷却空気は、通気ダクト片１４と上面断熱パネル７との間を経由して冷蔵室５に供給される。このとき、エバポレータ１１付近の冷却空気が冷蔵室５に送り込まれるので、冷蔵室５を迅速に低温化することができる。また、ファン１３は、エバポレータ１１と同様に、空間部Ｓに収容され前面断熱パネル８よりも突出しないので、箱型荷台１の前後方向の内法寸法が制約されることはない。
【００２６】
通気ダクト片１４は、図３に示すように、アルミニュウム板等の長尺の金属板状部材を長手方向に平行な折り目に沿って折り曲げて形成したものである。つまり、通気ダクト片１４は、その断面において、両端部分１４Ａ、１４Ｂがそれぞれ側面断熱パネル１５と上面断熱パネル７とに固定され、中間部分が上面断熱パネル７との間に一定間隔の隙間を生じる平坦部１４Ｃとなるよう、板状部材を折り曲げて形成されている。両端部分１４Ａ、１４Ｂには略一定間隔に小孔Ｈが開けてあり、図３のＡ−Ａ断面矢視拡大図（通気ダクト片１４を取り付けた状態でのＡ−Ａ断面矢視図）に示すように、小孔Ｈにリベット（ブラインドリベット）を挿入して、通気ダクト片１４が側面断熱パネル１５の内板と上面断熱パネル７の内板とに固定される。このように、本発明では、通気ダクト片１４、側面断熱パネル１５及び上面断熱パネル７により、冷却空気を送風する通気ダクトが箱型荷台１の上方コーナー部分に形成されることとなる。なお、箱型荷台１の上方コーナー部分には、箱型荷台１の全長に亘って延びるコーナーアングル１６が固定されている。
【００２７】
本発明の通気ダクト片１４は、板状部材を折り曲げて形成されるので製造は簡易なものとなり、また、箱型荷台１の天井の隅部である上方コーナー部分に装着されるため、室内灯６等のレイアウトに悪影響を与えることがない。図示は省略するが、通気ダクト片１４が通過する仕切り壁３の上部には切欠きが設けられており、リップ等のシール装置が通気ダクト片１４の周囲に設置される。通気ダクト片１４の横幅ＤＷがファン１３の吹き出し口部分の横幅ＦＷよりも大きい場合において、通気ダクト片１４の前端部に形成される開口部は、テープシーラ等のシール装置によって封鎖される。
【００２８】
以上詳述したように、本発明は、冷凍装置のエバポレータを収容するため箱型荷台の前方外側に張り出す空間部に冷却空気を送風するファンを収容し、箱型荷台の天井の隅部である上方コーナー部分に通気ダクトを設置して、仕切り壁の後方に冷却空気を導くものである。上記の実施例では、送風装置のファンを上部前面断熱パネルの壁面に取り付けているが、場合によっては、空間部の天井面に取り付けることができる。また、冷凍室と冷蔵室とを仕切る仕切り壁として、スライド式のものに代えて固定式の仕切り壁を採用するなど、実施例に対し種々の変形が可能であることは明らかである。
【符号の説明】
【００２９】
１  車両用箱型荷台
３  仕切り壁
４  冷凍室
５  冷蔵室
６  室内灯
７  上面断熱パネル
８  前面断熱パネル
９  上部前面断熱パネル
１１  エバポレータ
１２  コンデンサ
１３  ファン（送風装置の）
１４  通気ダクト片（送風装置の）
１５  側面断熱パネル
【図１】
2010266084.tif 000003
【図２】
2010266084.tif 000004
【図３】
2010266084.tif 000005
【図４】
2010266084.tif 000006
【図５】
2010266084.tif 000007
【図６】
2010266084.tif 000008